(57)【特許請求の範囲】
【請求項１】
前髪を額と反対側または額側に湾曲して巻き付けるロッド  と、ロッドの外周にその径方向から被せて前髪を外巻きまたは内巻き状態に保持するＣ形断面形状であってパーマネント液とすすぎ洗い水が通過するカバーからなる前髪パーマネント用毛巻具において、
カバーは、下側のロッド出入口の前側縁または後側縁に、軸方向片を配置せ  ず、周方向片の端を配置し、外周面の前側または後側に支持棒を下向きに突出  し、
前髪を外巻きまたは内巻きに巻き付けたロッドにカバーを被せると、カバーの支持棒の下端が額または頭皮上の前髪に当たって、カバーとロッドの前側部または後側部が支持され、ロッドに外巻きまたは内巻きに巻き付けられた前髪の生え際が折り曲げられない構成にしたことを特徴とする前髪パーマネント用毛巻具。
【請求項２】
カバーは、下側のロッド出入口の前側縁と後側縁に、それぞれ、軸方向片を配置せず、周方向片の端を配置し、外周面の前側に支持棒を下向きに突出したことを特徴とする請求項１に記載の前髪パーマネント用毛巻具。
【請求項３】
カバーは、下側のロッド出入口の前側縁と後側縁に、それぞれ、軸方向片を配置せず、周方向片の端を配置し、外周面の前側と後側にそれぞれ支持棒を下向きに突出したことを特徴とする請求項１に記載の前髪パーマネント用毛巻具。
【請求項４】
ロッドは、多孔質合成樹脂の棒であることを特徴とする請求項１〜３のいずれかに記載の前髪パーマネント用毛巻具。
【発明の詳細な説明】
【０００１】
【発明の属する技術分野】
本発明は、前髪にパーマネントをかける際に使用する毛巻具に関する。
【０００２】
【従来の技術】
前髪にパーマネントをかける場合、図１４と図１５に略示するように、前髪ｈを円筒形状のロッド１１に巻き付け、前髪ｈを巻き付けたロッド１１の外周にその径方向からＣ形断面形状の格子状カバー１２を被せ、パーマネント液の第１液を付着した前髪ｈを巻き付け状態に保持する。所定時間の経過後、前髪ｈを水ですすぎ洗いして第１液を洗い流し、その前髪ｈにパーマネント液の第２液を付着する。所定時間の経過後、カバー１２とロッド１１を取り外し、パーマネントがかかった前髪ｈを水ですすぎ洗いして第２液を洗い流す。
【０００３】
【発明が解決しようとする課題】
ところが、前髪パーマネント用毛巻具において、Ｃ形断面形状のカバー１２  は、図１４と図１５に略示するように、多数の円弧状周方向片１３と棒状軸方向片１４で構成してパーマネント液とすすぎ洗い水が通過する格子状であり、下側の細長いロッド出入口１５の前側縁と後側縁に、それぞれ、頭皮上の前髪ｈまたは額ｆに接する棒状軸方向片１４が配置されている。
【０００４】
前髪ｈを額ｆと反対側に湾曲する外巻きのパーマネントをかける場合は、図  １４と図１５に略示するように、ロッド１１に巻き付けられた前髪ｈの生え際がカバー１２のロッド出入口１５の前側縁の棒状軸方向片１４によって折り曲げられると共に、前髪ｈの生え際の折曲部ａとカバー１２のロッド出入口１５の前側縁の棒状軸方向片１４の間にパーマネント液の第１液、第２液が付着して溜る。その結果、前髪ｈの生え際は、カバー１２のロッド出入口１５の前側縁の棒状軸方向片１４によって折り曲げられた状態に固定される。
【０００５】
従って、外巻きのパーマネントがかかった前髪ｈは、図１６に略示するよう  に、生え際が折れ曲がり状態になって、その折曲部ａが切断し易く、見た目が悪くなる。
【０００６】
また、前髪を額側に湾曲する内巻きのパーマネントをかける場合も、同様に、前髪の生え際がカバーのロッド出入口の後側縁の棒状軸方向片によって折り曲げられた状態に固定される。従って、内巻きのパーマネントがかかった前髪は、生え際が折れ曲がり状態になって、その折曲部が切断し易く、見た目が悪くなる。
【０００７】
【課題を解決するための手段】
前髪を額と反対側または額側に湾曲して巻き付けるロッドと、ロッドの外周にその径方向から被せて前髪を外巻きまたは内巻き状態に保持するＣ形断面形状であってパーマネント液とすすぎ洗い水が通過するカバーからなる前髪パーマネント用毛巻具において、
カバーは、下側のロッド出入口の前側縁または後側縁に、軸方向片を配置せ  ず、周方向片の端を配置し、外周面の前側または後側に支持棒を下向きに突出した。
【０００８】
カバーは、下側のロッド出入口の前側縁または後側縁に軸方向片が配置されておらず、かつ、外周面の前側または後側に支持棒が下向きに突出しているので、前髪を外巻きまたは内巻きに巻き付けたロッドにカバーを被せると、カバーの支持棒の下端が額または頭皮上の前髪に当たって、カバーとロッドの前側部または後側部が支持され、ロッドに外巻きまたは内巻きに巻き付けられた前髪の生え際が折り曲げられない。
【０００９】
【発明の効果】
外巻きまたは内巻きのパーマネントがかかった前髪は、生え際が折れ曲がり状態にならず、切断し易くならず、見た目が悪くならない。
【００１０】
【発明の実施の形態】
＜第１例（図１〜図８参照）＞
本例の前髪パーマネント用毛巻具は、カバー１とロッド７からなる。
【００１１】
カバー１は、図１〜図３に示すように、合成樹脂成形品であり、多数の円弧状周方向片２と棒状軸方向片３で構成し、パーマネント液とすすぎ洗い水が通過する格子状であって、ロッド７にその径方向から嵌合するＣ形断面形状に形成している。
【００１２】
また、カバー１は、図１〜図３に示すように、下側の細長いロッド出入口４の前側縁と後側縁には、棒状軸方向片３を配置せず、円弧状周方向片２の端のみを配置し、各円弧状周方向片２の下端を外側に折曲している。外周面の前側には、所定長さの支持棒５を下外向きに突出し、支持棒５の下端を外側に折曲してい  る。なお、外周面の前側と後側の左右の端部には滑り止め片６を突出している。
【００１３】
ロッド７は、図４と図５に示すように、合成樹脂成形品の円筒状本体８の細径中央部に合成繊維織布の雄形の面ファスナ９を巻き付けて固定し、円筒状本体８の中央部に面ファスナの毛巻部９を形成している。なお、円筒状本体８の細径中央部には、パーマネント液とすすぎ洗い水の通過孔１０を貫通している。
【００１４】
前髪ｈを額ｆと反対側に湾曲する外巻きのコールドパーマネントをかける場合は、前髪ｈをロッド７の毛巻部９に外巻きに巻き付け、前髪ｈを巻き付けたロッド７の外周にカバー１を被せて、前髪ｈを外巻き状態に保持し、前髪ｈの巻き戻りを防止する。パーマネント液の第１液は、前髪ｈをロッド７に巻き付ける前、または、カバー１を被せた後に、前髪ｈに付着する。
【００１５】
前髪ｈを外巻きに巻き付けたロッド７にカバー１を被せる際、図６と図７に略示するように、カバー１の支持棒５の折曲下端を額ｆに当て、支持棒５でカバー１とロッド７の前側部を上側に支持し、ロッド７に巻き付けられた前髪ｈの生え際を折り曲げずに伸張状態にする。
【００１６】
第１液を付着した前髪ｈを外巻き状態に、かつ、前髪ｈの生え際を伸張状態に保持し、所定時間の経過後、外巻き状態の前髪ｈを水ですすぎ洗いして第１液を洗い流し、その前髪ｈにパーマネント液の第２液を付着する。所定時間の経過  後、カバー１とロッド７を取り外し、外巻きのパーマネントがかかった前髪ｈを水ですすぎ洗いして第２液を洗い流す。
【００１７】
すると、外巻きのパーマネントがかかった前髪ｈは、図８に略示するように、生え際が折れ曲がり状態にならない。折曲部がないので、切断し易くならず、見た目が悪くならない。
【００１８】
前髪ｈを額ｆ側に湾曲する内巻きのコールドパーマネントをかける場合は、前髪ｈをロッド７の毛巻部９に内巻きに巻き付け、前髪ｈを巻き付けたロッド７の外周にカバー１を被せて、前髪ｈを内巻き状態に保持する。
【００１９】
その際、前髪ｈの生え際は、外巻きのパーマネントをかける場合とは逆に、ロッド７の後側になるので、カバー１の前後を逆にし、カバー１の支持棒５側を後側に配置し、カバー１の支持棒５の折曲下端を頭皮上の前髪に当て、支持棒５でカバー１とロッド７の後側部を上側に支持し、ロッド７に巻き付けられた前髪ｈの生え際を折り曲げずに伸張状態にする。
【００２０】
第１液を付着した前髪ｈを内巻き状態に、かつ、前髪ｈの生え際を伸張状態に所定時間保持した後、内巻き状態の前髪ｈを水ですすぎ洗いして第１液を洗い流し、その前髪ｈに第２液を付着する。所定時間の経過後、カバー１とロッド７を取り外し、内巻きのパーマネントがかかった前髪ｈを水ですすぎ洗いして第２液を洗い流す。すると、内巻きのパーマネントがかかった前髪ｈは、生え際が折れ曲がり状態にならない。
【００２１】
＜第２例（図９と図１０参照）＞
本例の前髪パーマネント用毛巻具は、図９と図１０に示すように、カバー１の外周面の前側と後側の両側に、それぞれ、所定長さの支持棒５を下外向きに突出している。ロッド７は、第１例のそれと同様である。
【００２２】
前例とは異なり、前髪に外巻きのパーマネントをかける場合と、内巻きのパーマネントをかける場合とで、カバー１の前後を逆にする必要がない。
【００２３】
その他の点は、前例におけるのと同様である。
【００２４】
＜第３例（図１１〜図１３参照）＞
本例の前髪パーマネント用毛巻具は、図１１に示すように、ロッド７が発泡スチロール樹脂のような多孔質合成樹脂の丸棒である。このロッド７は、第１例のそれと比較して、構造が簡単であって製作し易く、安価である上、軽量である。更に、前髪ｈを巻き付ける際、前髪ｈが滑り難い。カバー１は、第１例または第２例のそれと同様である。
【００２５】
前髪ｈに外巻きのコールドパーマネントをかける場合は、前髪ｈをロッド７の中央部に外巻きに巻き付け、前髪ｈを巻き付けたロッド７の外周にカバー１を被せて、前髪ｈを外巻き状態に保持する。
【００２６】
前髪ｈを外巻きに巻き付けたロッド７にカバー１を被せる際、図１２と図１３に略示するように、カバー１前側の支持棒５の折曲下端を額ｆに当て、支持棒５でカバー１とロッド７の前側部を上側に支持し、ロッド７に巻き付けられた前髪ｈの生え際を折り曲げずに伸張状態にする。
【００２７】
パーマネント液の第１液を付着した前髪ｈを外巻き状態に、かつ、前髪ｈの生え際を伸張状態に保持し、所定時間の経過後、外巻き状態の前髪ｈを水ですすぎ洗いして第１液を洗い流し、その前髪ｈにパーマネント液の第２液を付着する。所定時間の経過後、カバー１とロッド７を取り外し、外巻きのパーマネントがかかった前髪ｈを水ですすぎ洗いして第２液を洗い流す。
【００２８】
すると、外巻きのパーマネントがかかった前髪ｈは、生え際が折れ曲がり状態にならない。
【００２９】
その他の点は、第１例におけるのと同様である。
【図面の簡単な説明】
【図１】本発明の実施形態の第１例の前髪パーマネント用毛巻具のカバーの正面図。
【図２】同例の前髪パーマネント用毛巻具のカバーの平面図。
【図３】図１のＡ−Ａ線断面図。
【図４】同例の前髪パーマネント用毛巻具のロッドの縦断正面図。
【図５】同例の前髪パーマネント用毛巻具のロッドの縦断側面図。
【図６】同例の前髪パーマネント用毛巻具を取り付けた状態の概略斜視図。
【図７】同例の前髪パーマネント用毛巻具を取り付けた状態の概略縦断側面図。
【図８】同例の前髪パーマネント用毛巻具で前髪に外巻きのパーマネントをかけた状態の概略斜視図。
【図９】実施形態の第２例の前髪パーマネント用毛巻具のカバーの平面図。
【図１０】図９のＢ−Ｂ線断面図。
【図１１】実施形態の第３例の前髪パーマネント用毛巻具のロッドの斜視図。
【図１２】同例の前髪パーマネント用毛巻具を取り付けた状態の概略斜視図。
【図１３】同例の前髪パーマネント用毛巻具を取り付けた状態の概略縦断側面図。
【図１４】従来例の前髪パーマネント用毛巻具を取り付けた状態の概略斜視図。
【図１５】同例の前髪パーマネント用毛巻具を取り付けた状態の概略縦断側面図。
【図１６】同例の前髪パーマネント用毛巻具で前髪に外巻きのパーマネントをかけた状態の概略斜視図。
【符号の説明】
１  カバー
２  円弧状周方向片
３  棒状軸方向片
４  ロッド出入口
５  支持棒
７  ロッド
ｈ  前髪
ｆ  額
【図１】
0003579141.tif 000002
【図２】
0003579141.tif 000003
【図３】
0003579141.tif 000004
【図４】
0003579141.tif 000005
【図５】
0003579141.tif 000006
【図６】
0003579141.tif 000007
【図７】
0003579141.tif 000008
【図８】
0003579141.tif 000009
【図９】
0003579141.tif 000010
【図１０】
0003579141.tif 000011
【図１１】
0003579141.tif 000012
【図１２】
0003579141.tif 000013
【図１３】
0003579141.tif 000014
【図１４】
0003579141.tif 000015
【図１５】
0003579141.tif 000016
【図１６】
0003579141.tif 000017